(57)【特許請求の範囲】
【請求項１】
携帯通信端末であって、
通信回線に接続されて他の通信端末と通信するための通信回路と、
二次電池と、
前記通信回路によって受信される信号の強度を検出するための検出手段と、
前記信号の強度に応じて、非接触充電器による前記二次電池の充電を制御するための制御手段とを備え、
前記通信回路によって受信される信号の強度が、着信可能な強度として予め定められた閾値未満の場合に、前記制御手段は、前記非接触充電器による磁界強度を所定量だけ下げるための命令を前記非接触充電器に送信するように構成されている、携帯通信端末。
【請求項２】
携帯通信端末であって、
通信回線に接続されて他の通信端末と通信するための通信回路と、
二次電池と、
前記通信回路によって受信される信号の強度を検出するための検出手段と、
前記信号の強度に応じて、非接触充電器による前記二次電池の充電を制御するための制御手段とを備え、
前記通信回路によって受信される信号の強度が、着信可能な強度として予め定められた閾値を上回ると、前記制御手段は、前記非接触充電器による磁界強度を所定量だけ上げるための命令を前記非接触充電器に送信するように構成されている、携帯通信端末。
【請求項３】
前記信号の強度を前記非接触充電器に送信するための送信器をさらに備え、前記非接触充電器は、前記携帯通信端末から送られる前記強度が予め定められた閾値まで低下すると、磁界強度を下げるように構成されている、請求項１または２に記載の携帯通信端末。
【請求項４】
請求項１〜３のいずれかに記載の携帯通信端末と、
前記非接触充電器とを備える、通信端末システム。
【請求項５】
二次電池を有する携帯通信端末の非接触充電器による充電を制御するための方法であって、
前記携帯通信端末によって受信される信号の強度を検出するステップと、
前記信号の強度が着信可能な強度として予め定められた閾値未満であるか否かに応じて、前記非接触充電器による前記二次電池の充電を制御するステップとを備え、
前記制御するステップは、
前記信号の強度が前記閾値未満である場合に、前記非接触充電器によって生じる磁界強度を所定量だけ下げる命令を、前記非接触充電器に送信するステップを含む、非接触充電器による充電を制御するための方法。
【発明の詳細な説明】
【技術分野】
【０００１】
本発明は、携帯通信端末の制御に関し、より特定的には、非接触充電が可能な携帯通信端末の制御に関する。
【背景技術】
【０００２】
電力供給の技術として非接触充電が知られている。たとえば、特開平１１−１６８８３７号公報（特許文献１）は、「磁誘導による非接触型の充電方式を採用しながら、充電中の通信動作に悪影響を及ぼすのを回避する」携帯通信機器用充電装置を開示している（［要約］の［課題］）。
【０００３】
特開２００３−２５０２３３号公報（特許文献２）は、「給電状況を識別して電力供給制御を行うことができ、シンプルな構造を有し、低ノイズである非接触電力伝達装置」を開示している（［要約］の［課題］）。
【０００４】
特開２００７−３３６７１０号公報（特許文献３）は、「接触型及び非接触型の両方の充電方式に対応可能な電子機器及び非接触充電システム」を開示している（［要約］の［課題］）。
【０００５】
特開２０１１−１５２００８号公報（特許文献４）は、「機器間の認証を行った上でデータ通信やデバイス動作に用いられる電力を伝送可能な伝送システム、ホストおよびデバイス」を開示している（［要約］の［課題］）。
【先行技術文献】
【特許文献】
【０００６】
【特許文献１】特開平１１−１６８８３７号公報
【特許文献２】特開２００３−２５０２３３号公報
【特許文献３】特開２００７−３３６７１０号公報
【特許文献４】特開２０１１−１５２００８号公報
【発明の概要】
【発明が解決しようとする課題】
【０００７】
携帯通信端末、非接触充電レシーバ、非接触充電器、ＡＣ（Alternating-Current）アダプタからなる非接触充電システムで、非接触充電レシーバは、携帯通信端末本体に内蔵される構成、電池パックに内蔵される構成、電池蓋に内蔵される構成、ジャケットに内蔵される構成の各種タイプがある。携帯通信端末が非接触充電器に置かれて、非接触充電が開始されると、充電器とレシーバのコイルで形成される磁界結合により、端末内部の各種無線回路に妨害が生じる。中でも、３Ｇ無線通信に用いられる８００ＭＨｚ帯への妨害が大きいと、端末は着信を受けられない恐れがある。したがって、無線通信への妨害が生じないように端末を充電するための技術が必要とされている。
【０００８】
本発明は、上述のような問題点を解決するためになされたものであって、その目的は、充電時に通信の妨害が抑制される携帯通信端末を提供することである。他の局面における目的は、充電時に通信の妨害が抑制される携帯通信端末と、非接触充電器とを備える通信端末システムを提供することである。さらに他の局面における目的は、充電時に通信の妨害が抑制される、非接触充電器による充電を制御するための方法を提供することである。
【課題を解決するための手段】
【０００９】
一実施の形態に従う携帯通信端末は、通信回線に接続されて他の通信端末と通信するための通信回路と、二次電池と、通信回路によって受信される信号の強度を検出するための検出手段と、信号の強度に応じて、非接触充電器による二次電池の充電を制御するための制御手段とを備える。
【００１０】
好ましくは、通信回路によって受信される信号の強度が、着信可能な強度として予め定められた閾値まで低下すると、制御手段は、非接触充電器による磁界強度を下げるための命令を非接触充電器に送信するように構成されている。
【００１１】
好ましくは、携帯通信端末は、信号の強度を非接触充電器に送信するための送信器をさらに備える。非接触充電器は、携帯通信端末から送られる強度が予め定められた閾値まで低下すると、磁界強度を下げるように構成されている。
【００１２】
他の実施の形態に従うと、上記のいずれかに記載の携帯通信端末と非接触充電器とを備える通信端末システムが提供される。
【００１３】
さらに他の実施の形態に従うと、二次電池を有する携帯通信端末の非接触充電器による充電を制御するための方法が提供される。この方法は、携帯通信端末によって受信される信号の強度を検出するステップと、信号の強度が予め規定された閾値を上回るか否かに応じて、非接触充電器による二次電池の充電を制御するステップとを備える。制御するステップは、信号の強度が閾値を下回る場合に、非接触充電器によって生じる磁界強度を引き下げる命令を、非接触充電器に送信するステップを含む。
【００１４】
この発明の上記および他の目的、特徴、局面および利点は、添付の図面と関連して理解されるこの発明に関する次の詳細な説明から明らかとなるであろう。
【図面の簡単な説明】
【００１５】
【図１】携帯通信端末１００によって実現される機能の構成を表わすブロック図である。
【図２】携帯通信端末１００と非接触充電器１５０のハードウェア構成を表わすブロック図である。
【図３】携帯通信端末１００のハードウェア構成を表わすブロック図である。
【図４】携帯通信端末１００と非接触充電器１５０とが実行する処理を表わすフローチャートである。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
［技術思想］
まず、本実施の形態にかかる技術思想について説明する。携帯通信端末が置かれた非接触充電器のコイルに電流を流すと、磁界が発生する。磁界がレシーバ側（携帯通信端末側）のコイルと近距離で重なり合うと、磁界誘導が起こり、レシーバ側のコイルにも電流が誘起される。誘起電流を整流することで、レシーバ側の二次電池を充電するための電流を取り出せる。このとき、磁束漏れが生じ得る。磁束漏れがあると、携帯通信端末の各種アンテナに妨害が生じ、受信感度が劣化する。
【００１８】
ここで、携帯通信端末とは、携帯電話機、スマートフォン、タブレット端末その他の端末であって、情報処理および通信が可能な端末をいう。
【００１９】
受信感度が十分であれば、多少の感度劣化があっても問題ないが、電波の弱いエリアでは受信感度の劣化により、携帯通信端末は着信を受けられなくなる。そこで、携帯通信端末は、常時、無線の電波強度を監視する。電波強度は、たとえば、ＲＳＳＩ（Received  Signal  Strength  Indication）、Ｅｂ/Ｎｏ（ビットあたりの電力密度対雑音電力密度比）、Ｅｃ/Ｉｏ（希望波/全電力）で表わされる。携帯通信端末は、電波強度が着信不可能となる閾値以下であると判定すると、非接触充電器からの磁界強度を下げて、着信を可能とする。
【００２０】
一例として、電池パックにレシーバを内蔵したタイプでは、端末と電池パックは、＋端子、サーミスタ、−端子に加えて、通信端子で繋がり、通信が可能となるように構成されている。この場合、たとえば、電池パックに内蔵された非接触充電制御回路が備える汎用マイコンにあるＵＡＲＴ（Universal  Asynchronous  Receiver  Transmitter）機能を使えば、当該汎用マイコンは、携帯通信端末が備えるＵＡＲＴ機能との間で簡単に通信することができる。
【００２１】
一方、非接触充電の世界的な統一規格であるＷＰＣ（Wireless  Power  Consortium）規格では、充電器とレシーバ間の磁界結合による振幅変調方式の通信を可能としている。
【００２２】
携帯通信端末の無線部は、信号強度として、ＲＳＳＩ、Ｅｂ/ＮｏまたはＥｃ/Ｉｏを監視する。信号強度が予め定められた閾値（下限値）まで低下すると、携帯通信端末のホスト（たとえばプロセッサ）は、ＵＡＲＴ通信により、電池パックの汎用マイコンに対して、非接触充電器からの磁界強度を下げるように命令を送信する。当該汎用マイコンは、この命令に従って、磁界強度を下げるように指示する命令を、非接触充電器に対して送信する。この命令に応答して、非接触充電器は、磁界強度が下がるように、コイルに供給される電流を引き下げる。
【００２３】
これにより、携帯通信端末における磁束漏れが抑制されるため、携帯通信端末において着信可能となる一定の信号強度が維持される。また、磁界強度が当該閾値を上回っている場合には、磁界強度が当該閾値を下回らない程度に、電池パックを充電するための電流が大きくなるように、コイルに対する電流が大きくされる。このように、非接触充電器によって生じる磁界強度をダイナミックに変えることにより、電池パックへの充電電流が最大となるように行える。
【００２４】
なお、このような技術思想は、２ＧＨｚ帯の３Ｇ無線や、ＷｉＦｉ（登録商標）（Wireless  Fidelity），ＷｉＭＡＸ（登録商標）（Worldwide  Interoperability  for  Microwave  Access）、Bluetooth（登録商標）といった無線にも応用可能である。
【００２５】
［構成］
図１を参照して、本発明の実施の形態に係る携帯通信端末１００について説明する。図１は、携帯通信端末１００によって実現される機能の構成を表わすブロック図である。携帯通信端末１００は、無線部１１０と、信号強度検出部１１１と、記憶部１１２と、判断部１１３と、送信部１１４と、コイル部１１５と、充電制御部１１６と、二次電池部１１７とを備える。図１に示されるように、携帯通信端末１００が非接触充電器１５０に置かれると、二次電池部１１７は、非接触充電器１５０によって充電される。
【００２６】
非接触充電器１５０は、電源部１６０と、磁界強度制御部１６１と、コイル部１６２と、受信部１６３とを備える。
【００２７】
携帯通信端末１００において、無線部１１０は、通信回線に接続することにより、他の通信端末と通信する。
【００２８】
信号強度検出部１１１は、無線部１１０によって受信される信号の強度を検出する。信号の強度を示す指標としては、たとえば、ＲＳＳＩ、Ｅｂ/Ｎｏ、Ｅｃ/Ｉｏ等が用いられる。
【００２９】
記憶部１１２は、非接触充電器１５０による充電の制御のために用いられる予め規定された閾値を格納している。なお、閾値が記憶部１１２に格納される構成に限られず、閾値が、判断処理を行うための処理アルゴリズムに組み込まれる構成であってもよい。
【００３０】
判断部１１３は、信号強度検出部１１１によって検出される信号の強度が記憶部１１２に格納されている予め規定された閾値を上回るか否かを判断する。
【００３１】
送信部１１４は、判断部１１３による判断の結果に応じて、非接触充電器１５０に対して二次電池部１１７に対する充電を制御するための信号を送信する。当該信号は、たとえば、非接触充電器１５０によって生成される磁界強度を下げるための命令、あるいは、信号強度検出部１１１によって検出された信号の強度を含む。
【００３２】
非接触充電器１５０において、受信部１６３は、携帯通信端末１００の送信部１１４によって送信される信号を受信する。電源部１６０は、電灯線に接続されて商用電源から電力の供給を受ける。
【００３３】
磁界強度制御部１６１は、電源部１６０を介して供給を受ける電力に基づきコイル部１６２に対して与える磁界の強度を制御する。ある局面において、磁界強度制御部１６１は、さらに、受信部１６３によって受信される信号に応じて磁界の強度を制御する。たとえば、受信部１６３が受信する信号が非接触充電器１５０による磁界強度を下げるための命令を含んでいる場合には、磁界強度制御部１６１は、その命令に基づいて、予め規定された強度だけ非接触充電器１５０による磁界強度を下げる。磁界強度を下げる態様としては、たとえば、予め規定された量だけ電流値を小さくする態様、携帯通信端末１００が信号強度を逐次監視し、信号強度が着信可能な値となるまでフィードバック制御を行なう態様がある。
【００３４】
他の局面において、受信部１６３が受信する信号が携帯通信端末１００において受信される信号の強度を表わしている場合には、磁界強度制御部１６１は、その信号の強度が携帯通信端末１００による通信に必要な強度として予め規定された基準強度を上回っているか否かを判断し、当該強度が基準の強度を下回っていると判断すると、磁界強度を下げるようにコイル部１６２に対する電力の供給を抑制する。
【００３５】
コイル部１６２は、磁界強度制御部１６１の制御に応じて、磁束を媒体として携帯通信端末１００のコイル部１１５に電力を供給する。
【００３６】
携帯通信端末１００において、コイル部１１５は、非接触充電器１５０から送られる磁束に基づき電力の供給を受け付ける。充電制御部１１６は、コイル部１１５からの電力を制御し二次電池部１１７に対する充電を制御する。
【００３７】
図２を参照して、本実施の形態に係る通信端末システムの構成についてさらに説明する。図２は、携帯通信端末１００と非接触充電器１５０のハードウェア構成を表わすブロック図である。
【００３８】
携帯通信端末１００は、アンテナ３０８と、通信装置３０２と、ＣＰＵ（Central  Processing  Unit）３１０と、ＲＯＭ（Read-Only  Memory）３４８と、通信Ｉ／Ｆ（Interface）３７９と、二次電池３９０と、充電制御回路３９１と、二次コイル３９２とを備える。
【００３９】
非接触充電器１５０は、通信Ｉ／Ｆ２１０と、プラグ２２０と、整流回路２３０と、充電制御回路２４０と、一次コイル２５０とを備える。
【００４０】
アンテナ３０８は、無線電波を受信し、または信号を送信する。
通信装置３０２は、アンテナ３０８によって受信された信号に対して予め規定されたフロントエンド処理を実行し処理後の信号をＣＰＵ３１０に送信する。他の局面において、通信装置３０２は、ＣＰＵ３１０から送られるデータに対して送信処理を実行し、無線信号としてアンテナ３０８を介して空間に送信する。
【００４１】
ＲＯＭ３４８は、携帯通信端末１００に予め規定された動作を実行するために準備されたデータを格納している。データは、たとえば、充電を制御するために定められた信号強度の閾値を含む。
【００４２】
ＣＰＵ３１０は、携帯通信端末１００に対して与えられる信号に基づいて携帯通信端末１００の動作を制御する。
【００４３】
通信Ｉ／Ｆ３７９は、ＣＰＵ３１０から送られる命令に基づき、充電を制御するための信号を非接触充電器１５０に対して送信する。当該信号は、アンテナ３０８によって受信される信号の強度、非接触充電器１５０による充電を抑制するための命令などを含む。
【００４４】
二次電池３９０は、携帯通信端末１００を駆動するために電力を各ハードウェアに供給する。他の局面において、二次電池３９０は、充電制御回路３９１を介して非接触充電器１５０によって充電される。二次電池３９０は、携帯通信端末１００から着脱可能であってもよく、あるいは、携帯通信端末１００に内蔵される構成であってもよい。
【００４５】
充電制御回路３９１は、ＣＰＵ３１０から送られる命令に基づき、二次コイル３９２を介して二次電池３９０に対する充電を制御する。
【００４６】
二次コイル３９２は、非接触充電器１５０から給電される電力を受ける。
非接触充電器１５０において、通信Ｉ／Ｆ２１０は、携帯通信端末１００の通信Ｉ／Ｆ３７９と通信する。ある局面において、通信Ｉ／Ｆ２１０は、携帯通信端末１００が受信している信号の強度を受信する。他の局面において、通信Ｉ／Ｆ２１０は、非接触充電器１５０による磁束強度を引下げる命令を受信する。
【００４７】
プラグ２２０は、商用電源のコンセントに挿入され電灯線から電力の供給を受ける。整流回路２３０は、交流電流を直流電流に変換する。充電制御回路２４０は、通信Ｉ／Ｆ２１０から送られる信号に基づき、整流回路２３０から出力される電流を一次コイル２５０に供給する。
【００４８】
一次コイル２５０は、充電制御回路２４０による制御に基づき、携帯通信端末１００を充電するために磁束を媒体として二次コイル３９２に対して送電する。
【００４９】
［ハードウェア構成］
図３を参照して、携帯通信端末１００のハードウェア構成についてさらに説明する。図３は、携帯通信端末１００のハードウェア構成を表わすブロック図である。携帯通信端末１００は、通信装置３０２と、チューナ３０４と、アンテナ３０６，３０８，３１６と、ＣＰＵ３１０と、測位処理部３１２と、測位信号受信フロントエンド部３１４と、ＧＰＳ（Global  Positioning  System）アンテナ３１６と、カメラ３２０と、フラッシュメモリ３４４と、ＲＡＭ（Random  Access  Memory）３４６と、ＲＯＭ３４８と、音声信号処理回路３７０と、ＬＥＤ（Light  Emitting  Diode）３７６と、メモリカード駆動装置３８０と、データ通信Ｉ／Ｆ３７８と、通信Ｉ／Ｆ３７９と、バイブレータ３８４と、二次電池３９０と、充電制御回路３９１と、二次コイル３９２とを備える。メモリカード駆動装置３８０には、メモリカード３８２が装着され得る。
【００５０】
アンテナ３０６は、ワンセグ放送波を受信する。チューナ３０４は、ＣＰＵ３１０の命令に従って番組を選局し、映像信号および音声信号をＣＰＵ３１０に伝送する。
【００５１】
アンテナ３０８は、基地局によって発信される信号を受信し、または、基地局を介して他の通信装置と通信するための信号を送信する。アンテナ３０８によって受信された信号は、通信装置３０２によってフロントエンド処理が行なわれた後、処理後の信号は、ＣＰＵ３１０に送られる。
【００５２】
ＣＰＵ３１０は、携帯通信端末１００に対して与えられる命令に基づいて携帯通信端末１００の動作を制御するための処理を実行する。携帯通信端末１００が信号を受信しているとき、ＣＰＵ３１０は、通信装置３０２から送られた信号に基づいて予め規定された処理を実行し、処理後の信号を音声信号処理回路３７０に送出する。音声信号処理回路３７０は、その信号に対して予め規定された信号処理を実行し、処理後の信号をスピーカ１４０に送出する。スピーカ１４０は、その信号に基づいて音声を出力する。
【００５３】
マイク１７０は、携帯通信端末１００に対する発話を受け付けて、発話された音声に対応する信号を音声信号処理回路３７０に対して送出する。音声信号処理回路３７０は、その信号に基づいて通話のために予め規定された処理を実行し、処理後の信号をＣＰＵ３１０に対して送出する。ＣＰＵ３１０は、その信号を送信用のデータに変換し、変換後のデータを通信装置３０２に対して送出する。通信装置３０２は、そのデータを用いて送信用の信号を生成し、アンテナ３０８に向けてその信号を送出する。
【００５４】
フラッシュメモリ３４４は、ＣＰＵ３１０から送られるデータを格納する。また、ＣＰＵ３１０は、フラッシュメモリ３４４に格納されているデータを読み出し、そのデータを用いて予め規定された処理を実行する。
【００５５】
ＲＡＭ３４６は、スイッチ３６０に対して行なわれた操作に基づいてＣＰＵ３１０によって生成されるデータを一時的に保持する。ＲＯＭ３４８は、携帯通信端末１００に予め定められた動作を実行させるためのプログラムあるいはデータを格納している。ＣＰＵ３１０は、ＲＯＭ３４８から当該プログラムまたはデータを読み出し、携帯通信端末１００の動作を制御する。
【００５６】
メモリカード駆動装置３８０は、メモリカード３８２に格納されているデータを読み出し、ＣＰＵ３１０に送出する。メモリカード駆動装置３８０は、ＣＰＵ３１０によって出力されるデータを、メモリカード３８２の空き領域に書き込む。
【００５７】
音声信号処理回路３７０は、上述のような通話のための信号処理を実行する。なお、図３に示される例では、ＣＰＵ３１０と音声信号処理回路３７０とが別個の構成として示されているが、他の局面において、ＣＰＵ３１０と音声信号処理回路３７０とが一体として構成されていてもよい。
【００５８】
ディスプレイ３５０は、タッチパネル式のディスプレイであるが、タッチパネルの機構は特に限られない。ディスプレイ３５０は、ＣＰＵ３１０から取得されるデータに基づいて、当該データによって規定される画像を表示する。たとえば、フラッシュメモリ３４４が格納している静止画、動画、音楽ファイルの属性（当該ファイルの名前、演奏者、演奏時間など）を表示する。
【００５９】
ＬＥＤ３７６は、ＣＰＵ３１０からの信号に基づいて、予め定められた発光動作を実現する。データ通信Ｉ／Ｆ３７８は、データ通信用のケーブルの装着を受け付ける。
【００６０】
データ通信Ｉ／Ｆ３７８は、ＣＰＵ３１０から出力される信号を当該ケーブルに対して送出する。あるいは、データ通信Ｉ／Ｆ３７８は、当該ケーブルを介して受信されるデータを、ＣＰＵ３１０に対して送出する。
【００６１】
通信Ｉ／Ｆ３７９は、送信部１１４として、非接触充電器１５０の受信部１６３と通信する。
【００６２】
バイブレータ３８４は、ＣＰＵ３１０から出力される信号に基づいて、予め定められた周波数で発振動作を実行する。
【００６３】
ＧＰＳアンテナ３１６は、ＧＰＳ衛星から発信される信号を受信し、受信した信号を測位信号受信フロントエンド部３１４に送出する。測位信号受信フロントエンド部３１４は、少なくとも３つ（望ましくは４つ以上）のＧＳＰ衛星から受信した各信号に基づいてパターンマッチングを行ない、各信号に含まれるコードパターンと携帯通信端末１００が保持するコードパターンとが一致した場合に、その信号を測位処理部３１２に送出する。
【００６４】
測位処理部３１２は、その信号を用いて、測位処理を実行し、当該信号を受信した携帯通信端末１００の位置を算出する。ＣＰＵ３１０は、その算出結果をディスプレイ３５０に表示する。
【００６５】
二次電池３９０は、ある局面において、複数の電池パックを含んでいてもよい。この場合、複数の電池モジュールのうちのメインの電池パックが着脱可能であって、サブの電池パックが内蔵式であってもよい。このようにすると、メインの電池パックが交換のために取り外されている場合であっても、携帯通信端末１００は、サブの電池パックから供給される電力によって駆動できる。
【００６６】
［制御構造］
図４を参照して、本実施の形態に係る通信端末システムの制御構造について説明する。図４は、携帯通信端末１００と非接触充電器１５０とが実行する処理を表わすフローチャートである。この処理は、携帯通信端末１００が非接触充電器１５０に置かれたときに実行される。
【００６７】
ステップＳ４１０にて、非接触充電器１５０の充電制御回路２４０は、携帯通信端末１００が非接触充電器１５０に置かれたことを検知する。
【００６８】
ステップＳ４１２にて、充電制御回路２４０は、その検知に応答して、整流回路２３０から送られる電流に基づき、一次コイル２５０を介して、所定の電力を、携帯通信端末１００に対して供給する。
【００６９】
ステップＳ４２０にて、携帯通信端末１００の充電制御回路３９１は、二次コイル３９２を介して受ける電力を二次電池３９０に対して供給し、二次電池３９０を充電する。
【００７０】
ステップＳ４２２にて、ＣＰＵ３１０は、信号強度検出部１１１として、携帯通信端末１００における無線電波の信号強度を検出する。
【００７１】
ステップＳ４２４にて、ＣＰＵ３１０は、判断部１１３として、検出された信号強度が予め設定された閾値以下であるか否かを判断する。ＣＰＵ３１０は、信号強度が予め設定された閾値以下であると判断すると（ステップＳ４２４にてＹＥＳ）、制御をステップＳ４３０に切り換える。そうでない場合には（ステップＳ４２４にてＮＯ）、ＣＰＵ３１０は、制御をステップＳ４５０に切り換える。
【００７２】
ステップＳ４３０にて、ＣＰＵ３１０は、通信Ｉ／Ｆ３７９を介して、磁界強度を下げることを指示する命令を非接触充電器１５０に送信する。
【００７３】
ステップＳ４４０にて、非接触充電器１５０の通信Ｉ／Ｆ２１０は、携帯通信端末１００の通信Ｉ／Ｆ３７９から命令（ステップＳ４３０）を受信する。
【００７４】
ステップＳ４４２にて、充電制御回路２４０は、一次コイル２５０の磁界強度を下げるために、一次コイル２５０への供給電流を予め規定された所定量だけ低下させる。その後、制御はステップＳ４１２に戻される。
【００７５】
ステップＳ４５０にて、ＣＰＵ３１０は、二次電池３９０が満充電であるか否かを判断する。ＣＰＵ３１０は、二次電池３９０が満充電であると判断すると（ステップＳ４５０にてＹＥＳ）、制御をステップＳ４６０に切り換える。そうでない場合には（ステップＳ４５０にてＮＯ）、ＣＰＵ３１０は、制御をステップＳ４２０に戻す。
【００７６】
ステップＳ４６０にて、充電制御回路３９１は、ＣＰＵ３１０から送られる終了命令に基づき、二次電池３９０に対する充電を終了する。
【００７７】
携帯通信端末１００は、通信Ｉ／Ｆ３７９を介して、充電を終了したことを示す信号を非接触充電器１５０に対して送信する。
【００７８】
ステップＳ４７０にて、充電制御回路２４０は、通信Ｉ／Ｆ２１０を介して受信される信号に基づき、携帯通信端末１００への充電を終了する。
【００７９】
以上のようにして、本実施の携帯通信端末１００は、信号の受信強度に応じて二次電池３９０の充電を制御する。具体的には、受信強度が予め規定された強度以上である場合には、充電制御回路３９１は、二次電池３９０を充電する。この場合、二次電池３９０の充電中であっても、携帯通信端末１００を用いた通信は容易に実現される。
【００８０】
一方、受信強度が当該予め定められた強度未満である場合には、当該信号の受信が妨げられない程度まで磁束が小さくなるように、非接触充電器１５０に供給される電流が制御される。これにより、携帯通信端末１００が充電されている間も、信号の着信の妨害を防ぐことができる。
【００８１】
なお、他の局面において、携帯通信端末１００が信号強度を示すデータを非接触充電器１５０に送信する構成と、非接触充電器１５０が当該データに基づいて信号強度が予め規定された閾値以上であるか否かを判断する構成とが用いられてもよい。この場合、非接触充電器１５０が、携帯通信端末１００における信号強度が当該閾値以下であると判断した場合に、携帯通信端末１００の二次電池３９０を充電するための磁界強度を弱くするために、一次コイル２５０に供給される電流を小さくする。これにより、磁束漏れが抑制されるので、信号強度が低下している場合であっても、携帯通信端末１００における着信が可能となる。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８３】
１００  携帯通信端末、１１０  無線部、１１１  信号強度検出部、１１２  記憶部、１１３  判断部、１１４  送信部、１１５，１６２  コイル部、１１６  充電制御部、１１７  二次電池部、１４０  スピーカ、１５０  非接触充電器、１６０  電源部、１６１  磁界強度制御部、１６３  受信部、１７０  マイク、２２０  プラグ、２３０  整流回路、２４０，３９１  充電制御回路、２５０  一次コイル、３０２  通信装置、３０４  チューナ、３０６，３０８，３１６  アンテナ、３１２  測位処理部、３１４  測位信号受信フロントエンド部、３２０  カメラ、３４４  フラッシュメモリ、３４６  ＲＡＭ、３４８  ＲＯＭ、３５０  ディスプレイ、３６０  スイッチ、３７０  音声信号処理回路、３８０  メモリカード駆動装置、３８２  メモリカード、３８４  バイブレータ、３９０  二次電池、３９２  二次コイル、２１０，３７８，３７９  通信Ｉ／Ｆ。
【図１】
0005855968.tif 000002
【図２】
0005855968.tif 000003
【図３】
0005855968.tif 000004
【図４】
0005855968.tif 000005